(57)【要約】【課題】たとえ書き込み型の光ディスクが未記録の状態であっても、光ディスク読み取り装置を構成する増幅器の利得を常にアクティブに制御すること。【解決手段】加算回路（４１）は４つのメイン電気信号を加算してＨＦ信号（ピックアップされた信号）を出力する。ピークホールド回路（４３）は、ＨＦ信号のピークをホールドし、ピークホールド信号を出力する。このピークホールド信号は、ＨＦ信号の反射光成分（以下「Ｉ−ＴＯＰ」と呼ぶ）のレベルを示す信号である。利得制御増幅器４４は、ＨＦ信号をピークホールド信号の逆数の利得で増幅して、増幅された信号を出力する。【選択図】        図６
2004220632.tif 000002
【特許請求の範囲】
【請求項１】
回転している光ディスクから光ピックアップによってピックアップされた信号を読み取る光ディスク読み取り装置において、
前記ピックアップされた信号を増幅して増幅された信号を出力する増幅手段と、
前記増幅された信号のピークレベルが一定となるように、前記増幅手段の利得を制御する利得制御手段と
を備えた光ディスク読み取り装置。
【請求項２】
前記光ピックアップが偏光光学系光ピックアップである、請求項１に記載の光ディスク読み取り装置。
【請求項３】
前記利得制御手段が、前記ピックアップされた信号のピークをホールドして、ピークホールド信号を出力するピークホールド回路から成り、
前記増幅手段が、前記ピックアップされた信号を前記ピークホールド信号の逆数の利得で増幅して、前記増幅された信号を出力する利得制御増幅器から成る、請求項１又は２に記載の光ディスク読み取り装置。
【請求項４】
前記利得制御手段が、前記ピックアップされた信号のピークをホールドして、ピークホールド信号を出力するピークホールド回路から成り、
前記増幅手段が、前記ピックアップされた信号を前記ピークホールド信号で除算して、除算結果を前記増幅された信号として出力する除算器から成る、請求項１又は２に記載の光ディスク読み取り装置。
【請求項５】
請求項１乃至４のいずか１つに記載の光ディスク読み取り装置を備えた光ディスクドライブ。
【発明の詳細な説明】
【０００１】
【発明の属する技術分野】
本発明は、光ディスク読み取り装置に関し、特に、光ピックアップとして偏光光学系光ピックアップを使用した光ディスクドライブに用いられる光ディスク読み取り装置に関する。
【０００２】
【従来の技術】
最近では、パーソナルコンピュータ等の電子機器には光ディスクドライブ（光ディスク装置）が搭載されることが多い。光ディスクドライブに使用可能な記録媒体として、ＣＤ−Ｒ（ｃｏｍｐａｃｔ  ｄｉｓｃ−ｒｅｃｏｒｄａｂｌｅ）、ＣＤ−ＲＷ（ｃｏｍｐａｃｔ  ｄｉｓｃ−ｒｅｗｒｉｔａｂｌｅ）が知られている。
【０００３】
ＣＤ−Ｒは追記が可能な記録媒体である。ＣＤ−Ｒでは、データを一度だけ書き込むことができ、書いたものは消去したり書換えることはできない。
【０００４】
ＣＤ−ＲＷは書き換え可能な記録媒体であるが、ＣＤ−ＲＯＭやオーディオＣＤ（ＣＤ−ＤＡ）と互換性がある。ＣＤ−ＲＷはＣＤ−Ｒとは異なり記録層に相変化材料を用いている。ＣＤ−ＲＷにおいて、レーザ光の照射で消去状態（結晶相）と記録状態（アモルファス相）を記録し、その反射率の違いによってデータを読み取る。ＣＤ−ＲＷは、プレス版のＣＤ−ＲＯＭや色素を使ったＣＤ−Ｒに比べて、メディアからの光の反射率が低い。
【０００５】
ＣＤ−Ｒ、ＣＤ−ＲＷへの情報（データ）の書込みには専用の装置と書込み用アプリケーションとが必要である。一方、ＣＤ−Ｒ、ＣＤ−ＲＷからの情報（データ）の読出しは通常のＣＤ−ＲＯＭドライブで実行できる。ＣＤ−Ｒ、ＣＤ−ＲＷ、ＣＤ−ＲＯＭ、およびオーディオＣＤ、ならびにＤＶＤ−ＲＯＭ、ＤＶＤ−Ｒ、ＤＶＤ−ＲＡＭ、ＤＶＤ＋ＲＷ、ＤＶＤ−ＲＷ等を、ここでは「光ディスク」と総称することにする。
【０００６】
さて、このような光ディスクに対して情報（データ）を書き込んだり、それから情報（データ）を読み出すために、光ディスクドライブは、光ディスク上にレーザビームを照射するための記録再生用光ピックアップを備えている。
【０００７】
一般に、この種の光ピックアップは、レーザビームを出射するレーザ光源と、この出射されたレーザビームを光ディスクへ導く光学系とを備えている。前述したように、ＣＤ−Ｒでは情報の読出しばかりでなく、情報の書込みをも行うことができる。ＣＤ−Ｒ用の光ピックアップでは、レーザ光源から出射されるレーザビームの出力を、情報の読出し時と情報の書込み時とで切り替える必要がある。その理由は、情報の書込みを、レーザビームの照射により光ディスクの記録層にピットを形成することで行うからである。情報書込み時におけるレーザ光源から出射されるレーザビームの出力は、情報読出し時における出力に比較して大きく、例えば、１０〜２０倍程度である。
【０００８】
さて、このような光ピックアップにおいて、上記レーザ光源から出射されたレーザビームは光学系を通り、その光学系を構成する対物レンズによって光ディスクの信号記録面上に集光させることによって、情報の記録（書込み）や消去を行う。一方、光ピックアップは、その信号記録面からの反射光（戻り光）を光検出手段である光検出器（フォトディテクタ）で検出することによって、情報の再生を行う。尚、光ピックアップ用の光学系には、偏光光学系と無偏光光学系との２種類がある。ここで、偏光光学系とは、レーザビームの偏光方向を変更することが出来る光学系のことをいい、無偏光光学系とは、レーザビームの偏光方向が変更しない光学系のことをいう。
【０００９】
このように、光ディスクドライブでは、光ピックアップから出射されるレーザビームを使用して光ディスクの記録・再生を行うので、フォーカシング制御とトラッキング制御とが不可欠である。このフォーカシング制御とトラッキング制御とを行うために、光ピックアップは、上記対物レンズを上下方向（フォーカス方向）と左右方向（トラッキング方向）に変位させるための光ピックアップアクチュエータを備えている。
【００１０】
また、光ディスクドライブは、上記光検出器で検出された戻り光を再生するための再生回路（光ディスク読み取り装置）を備えている。この再生回路（光ディスク読み取り装置）で再生された電気信号はＨＦ（Ｈｉｇｈ  ｆｒｅｑｕｅｎｃｙ）信号と呼ばれる。
【００１１】
光ディスクドライブにおいては、後述するような原因により、ＨＦ信号の振幅が変化する。原因としては、光ディスクの反りやスレッド機構の精度により、光ディスクに入射するレーザビームの光軸が光ディスクの主面に対して垂直にならないこと、光ディスクの複屈折、光ディスクの表面の汚れ、光ピックアップの光源のレーザ波長などが考えられる。
【００１２】
このＨＦ信号の振幅が設計値以上に増減すると信号対雑音（Ｓ／Ｎ）比の悪化を招いてしまう。そのため、従来の再生回路（光ディスク読み取り装置）は、通常、ＨＦ信号を増幅するための増幅器に自動利得調整（ＡＧＣ）機能が付加されており、このＡＧＣ付き増幅器によって増幅されたＨＦ信号の振幅が常に一定になるように制御されている。
【００１３】
図８を参照して、従来の光ディスク読み取り装置について説明する。
【００１４】
図示の光ディスク読み取り装置は、加算回路４１と、ＡＧＣ回路４７とから構成されている。
【００１５】
加算回路４１は、演算増幅器４１１から構成され、その非反転入力端子＋には光ピックアップの光検出器で検出された４つのメイン電気信号が抵抗器４２２〜４２５を介して供給され、その反転入力端子−にはＨＦ基準電圧が抵抗器４２６を介して供給され、その出力端子と反転入力端子−との間には抵抗器４２７が接続されている。この加算回路４１はＨＦ信号（ピックアップされた信号）を出力する。
【００１６】
加算回路４１の出力端子はＡＧＣ回路４７に接続されている。ＡＧＣ回路４７は、利得制御増幅器４７１と、検波回路４７２と、振幅計算回路４７３とから構成されている。検波回路４７２はＨＦ信号を検波して、検波した信号を出力する。振幅計算回路４７３は、この検波した信号からＨＦ信号の振幅を計算し、この計算により振幅により利得制御増幅器４７１の利得を制御する。すなわち、ＨＦ信号の振幅が小さければ、振幅計算回路４７３は、利得制御増幅器４７１の利得を上げるように制御する。逆に、ＨＦ信号の振幅が大きければ、振幅計算回路４７３は、利得制御増幅器４７１の利得を下げるように制御する。利得制御増幅器４７１は、この制御された利得によってＨＦ信号を増幅し、増幅されたＨＦ信号を出力する。
【００１７】
【発明が解決しようとする課題】
しかしながら、書き込み機能がある光ディスクでは、光ディスク上に必ずＨＦ信号が有るとは限らない。ＨＦ信号が無い状態で利得制御増幅器４７１のＡＧＣ機能が働いてしまうと、利得（ゲイン）が異常に高くなった状態となる。この状態において、ＨＦ信号が突然現れた場合、利得制御増幅器４７１の利得が高くなりすぎて、増幅されたＨＦ信号がクリップを起こしてしまう。その結果、データの読み取りに支障を来してしまう。従って、そのような状態を作らないために、利得制御増幅器４７１の利得を固定にする等の対策を駆使する必要がある。
【００１８】
それ故に本発明の課題は、たとえ書き込み型の光ディスクが未記録の状態であっても、光ディスク読み取り装置を構成する増幅器の利得を常にアクティブに制御することができる、光ディスク読み取り装置を提供することにある。
【００１９】
【課題を解決するための手段】
本発明によれば、回転している光ディスク（ＤＩＳＣ）から光ピックアップ（ＯＰＵ）によってピックアップされた信号を読み取る光ディスク読み取り装置において、ピックアップされた信号を増幅して増幅された信号を出力する増幅手段（４５１）と、増幅された信号のピークレベルが一定となるように、増幅手段の利得を制御する利得制御手段（４３）とを備えた光ディスク読み取り装置が得られる。
【００２０】
上記光ディスク読み取り装置において、光ピックアップは偏光光学系光ピックアップ（ＯＰＵ）であって良い。
【００２１】
また、上記光ディスク読み取り装置において、利得制御手段は、ピックアップされた信号のピークをホールドして、ピークホールド信号を出力するピークホールド回路（４３）から構成され、増幅手段が、ピックアップされた信号をピークホールド信号の逆数の利得で増幅して、増幅された信号を出力する利得制御増幅器（４４）から構成されて良い。
【００２２】
また、上記光ディスク読み取り装置において、利得制御手段は、ピックアップされた信号のピークをホールドして、ピークホールド信号を出力するピークホールド回路（４３）から構成され、増幅手段が、ピックアップされた信号をピークホールド信号で除算して、除算結果を増幅された信号として出力する除算器（４５）から構成されて良い。
【００２３】
尚、上記括弧内の参照符号は、理解を容易にするために付したものであり、一例にすぎず、これらに限定されないのは勿論である。
【００２４】
【発明の実施の形態】
以下、本発明の実施の形態について図面を参照して詳細に説明する。
【００２５】
最初に図１及び図２を参照して、本発明の一実施の形態に係る光ディスク読み取り装置が適用される光ディスクドライブについて説明する。図１は光ピックアップＯＰＵが内周に移動したときの状態を示し、図２は光ピックアップＯＰＵが外周に移動したときの状態を示している。図１（ａ）および図２（ａ）は平面図であり、図１（ｂ）および図２（ｂ）は左側面図である。
【００２６】
シャーシ１１上には、スピンドルモータ１３と送りモータ１５とが搭載されている。スピンドルモータ１３はその上に取り付けられたターンテーブル１７を回転する。ターンテーブル１７上には図示しない光ディスクが搭載される。したがって、スピンドルモータ１３が回転することにより、ターンテーブル１７上に搭載された光ディスクも回転する。
【００２７】
送りモータ１５の駆動軸には、駆動減速ギヤ１９が係合し、この駆動減速ギヤ１９は、光ピックアップＯＰＵの一側に形成されたラック２１と係合する。光ピックアップＯＰＵは一対のガイドシャフト２３ａ、２３ｂによって案内される。したがって、送りモータ１５が回転すると、光ピックアップＯＰＵは一対のガイドシャフト２３ａ，２３ｂに沿って移送される。
【００２８】
図３を参照すると、光ピックアップＯＰＵは、半導体レーザ（レーザダイオード）ＬＤと、回折格子ＧＲＴと、コリメータレンズＣＬと、偏光ビームスプリッタＰＢＳと、１／４波長板ＱＷＰと、対物レンズＯＬと、センサレンズＳＬと、光検出器ＰＤとを有する。また、図示の光ピックアップＯＰＵは、半導体レーザＬＤから出射されたレーザビームの一部をモニタするためのフロントモニタＦＭと、半導体レーザＬＤを駆動するためのレーザドライバ２５とを備えている。
【００２９】
図示の光ピックアップＯＰＵは、偏光ビームスプリッタＰＢＳと１／４波長板ＱＷＰとを備えているので、偏光光学系光ピックアップと呼ばれる。
【００３０】
尚、半導体レーザＬＤから出射された１本のレーザビームは回折格子ＧＲＴで３本のレーザビームに分離される。これら３本のレーザビームは、中央にあるメインビームと、その両側にあるサブビームとから成る。また、半導体レーザＬＤから出射されるレーザビームは直線偏光である。
【００３１】
とにかく、半導体レーザＬＤから出射され、回折格子ＧＲＴで分離された３本のレーザビームは、コリメータレンズＣＬで平行光にされた後、偏光ビームスプリッタＰＢＳで直角に反射される。この偏光ビームスプリッタＰＢＳで反射されたレーザビームは、１／４波長板ＱＷＰで円偏光にされた後、対物レンズＯＬを介して光ディスクＤＩＳＣの信号記録面（反射面）へ集光（照射）される。
【００３２】
図４に光ディスクＤＩＳＣへ照射されたレーザビームのスポットを示す。上述したように回折格子ＧＲＴで分けられた３本のレーザビームは、光ディスクＤＩＳＣのピット面上のトラックに、図４（ａ）に示されるように、３個のスポットを結ぶ。
【００３３】
図３に戻って、光ディスクＤＩＳＣの信号記録面からの反射光（戻り光）は、対物レンズＯＬを通過し、１／４波長板ＱＷＰで往路の偏光方向と９０°曲げられ、偏光ビームスプリッタＰＢＳを通過し、センサレンズＳＬを通して光検出器ＰＤで検出される。
【００３４】
図示の光ピックアップＯＰＵでは、トラッキングエラー検出方法として、回折格子を用いて形成された３ビームを用いる方法を採用している。そして、３ビームを用いる方法の中でも、特に、ディファレンシャルプッシュプル法を用いている。
【００３５】
詳述すると、前述したように、光源であるレーザダイオードＬＤから出射された１本のレーザビームは、回折格子ＧＲＴによって３本のレーザビームに分離される。従って、光ディスクＤＩＳＣからの反射光（戻り光）も３本のレーザビームからなる。この３本のレーザビームのうち、中央のメインビームが読取り信号とフォーカスエラー信号を生成するために使用され、両側の２本のサブビームがトラッキングエラー信号を生成するために使用される。
【００３６】
図５に反射光（戻り光）を受光するための光検出器ＰＤの構成を示す。図５において、（Ａ）は正面図、（Ｂ）は右側面図である。光検出器ＰＤはメインビームを受光するためのメイン受光素子３１と、両側の２本のサブビームを受光するための一対のサブ受光素子３２、３３とを有する。メイン受光素子３１は４分割フォトダイオードから構成され、サブ受光素子３２、３３の各々は２分割フォトダイオードから構成されている。
【００３７】
したがって、図４（ａ）で図示された３個のスポットのうち、中央のスポット（図４（ａ）でＡ，Ｂ，Ｃ，Ｄの符号が付ってある部分）からの反射光（メインビーム）は、図５に示されるメイン受光素子３１によって、図３においてＡ、Ｂ、Ｃ、Ｄの符号で示される４つのメイン電気信号として受光される。また、一方の側のスポット（図４（ａ）でＥ，Ｆの符号が付ってある部分）からの反射光（サブビーム）は、図５に示される一方のサブ受光素子３２によって、図３においてＥ、Ｆの符号で示される２つのサブ電気信号として受光される。そして、他方の側のスポット（図４（ａ）でＧ，Ｈの符号が付ってある部分）からの反射光（サブビーム）は、図５に示される他方のサブ受光素子３３によって、図３においてＧ、Ｈの符号で示される２つのサブ電気信号として受光される。
【００３８】
次に、図６を参照して、本発明の第１の実施の形態に係る光ディスク読み取り装置について説明する。
【００３９】
図示の光ディスク読み取り装置は、加算回路４１と、ピークホールド回路４３と、利得制御増幅器４４とから構成されている。
【００４０】
加算回路４１は、演算増幅器４１１から構成され、その非反転入力端子＋には上述した４つのメイン電気信号が抵抗器４２２〜４２５を介して供給され、その反転入力端子−にはＨＦ基準電圧が抵抗器４２６を介して供給され、その出力端子と反転入力端子−との間には抵抗器４２７が接続されている。この加算回路４１はＨＦ信号（ピックアップされた信号）を出力する。
【００４１】
加算回路４１の出力端子はピークホールド回路４３に接続されている。ピークホールド回路４３は、加算回路４１から出力されるＨＦ信号のピークをホールドし、ピークホールド信号を出力する。このピークホールド信号は、ＨＦ信号の反射光成分（以下「Ｉ−ＴＯＰ」と呼ぶ）のレベルを示す信号である。
【００４２】
加算回路４１の出力端子は利得制御増幅器４４の入力端子４４１に接続され、ピークホールド回路４３の出力端子は利得制御増幅器４４の制御端子４４２に接続されている。利得制御増幅器４４は、ＨＦ信号をピークホールド信号の逆数の利得で増幅して、増幅された信号を出力する。
【００４３】
すなわち、利得制御増幅器４４は、Ｉ−ＴＯＰのレベルに応じてＨＦ信号を増幅する増幅手段として動作する。詳述すると、Ｉ−ＴＯＰのレベルが低ければ、利得制御増幅器４４はＨＦ信号を大きい利得（増幅率）で増幅し、Ｉ−ＴＯＰのレベルが高ければ、利得制御増幅器４４はＨＦ信号を小さい利得（増幅率）で増幅する。したがって、増幅されたＨＦ信号の振幅を常に一定にすることが出来る。
【００４４】
次に、図７を参照して、本発明の第２の実施の形態に係る光ディスク読み取り装置について説明する。
【００４５】
図示の光ディスク読み取り装置は、利得制御増幅器４４の代わりに除算器４５を使用している点を除いて、図６に示された光ディスク読み取り装置と同様の構成を有し、同様の動作をする。したがって、図６の同様の構成を有するものには同一の参照符号を付し、説明の簡略化のためにそれらの説明を省略する。
【００４６】
加算回路４１の出力端子は除算器４５の第１の入力端子４５１に接続され、ピークホールド回路４３の出力端子は除算器４５の第２の入力端子４５２に接続されている。除算器４５の第１の入力端子４５１に供給されるＨＦ信号の電圧を第１の電圧Ｖ１と呼び、第２の入力端子４５２に供給されるピークホールド信号（Ｉ−ＴＯＰのレベル）の電圧を第２の電圧Ｖ２と呼ぶことにする。除算器４５は、第１の電圧Ｖ１を第２の電圧Ｖ２で除算し、その除算結果（Ｖ１／Ｖ２）を出力する。
【００４７】
すなわち、除算器４５は、Ｉ−ＴＯＰのレベルに応じてＨＦ信号を増幅する増幅手段として動作する。詳述すると、Ｉ−ＴＯＰのレベルが低ければ、除算器４５はＨＦ信号を大きい利得（増幅率）で増幅し、Ｉ−ＴＯＰのレベルが高ければ、除算器４５はＨＦ信号を小さい利得（増幅率）で増幅する。したがって、増幅されたＨＦ信号の振幅を常に一定にすることが出来る。
【００４８】
ＨＦ信号のＩ−ＴＯＰは、たとえ書き込み型の光ディスクＤＩＳＣが未記録の状態であっても必ず存在し、光ディスクＤＩＳＣの反射率を示すエラー信号を含んでいる。従って、図６および図７に図示した光ディスク読み取り装置は、ＨＦ信号の利得制御を常にアクティブにすることが出来る。
【００４９】
これにより、実時間で増幅されたＨＦ信号の振幅を一定にすることができる。このため、従来のＡＧＣ回路４７を用いた光ディスク読み取り装置のようにフィードバックのかかっていない状態を排除することが出来る。
【００５０】
特に、光ピックアップが図３に図示したような偏光光学系光ピックアップＯＰＵの場合、光ディスクＤＩＳＣの複屈折による反射率の低下が原因でＨＦ信号の振幅が減少するという現象が起こる。この現象は、光ディスクＤＩＳＣの面内で大きく変化することが知られている。このようにたとえ光ディスクＤＩＳＣの複屈折の影響でＨＦ信号の振幅が減少したとしても、本発明による光ディスク読み取り装置は、その増幅手段（利得制御増幅器４４又は除算器４５）の利得を常にアクティブに制御できるという非常に優れた利点を持っている。
【００５１】
図９に光検出器ＰＤへの戻り光の光量と光ディスクＤＩＳＣの複屈折量の依存関係を図示する。図９において、縦軸は光検出器ＰＤへの戻り光の光量を最大値を１に規格化して示し、横軸は光ディスクＤＩＳＣの複屈折量［ｎｍ］を示している。ここでは、１／４波長板ＱＷＰから光ディスクＤＩＳＣへ向けて出射される出射光が完全円偏光であるとし、また、半導体レーザＬＤから出射されるレーザビームの波長が７８５ｎｍであると仮定する。
【００５２】
図９から明らかなように、光検出器ＰＤへの戻り光の光量が少なくなるにつれて、光ディスクＤＩＳＣの複屈折量が大きくなることが分かる。尚、光検出器ＰＤへの戻り光の光量が零のとき、光ディスクＤＩＳＣの複屈折量は３９２．５［ｎｍ］である。
【００５３】
次に、図１０を参照して、光検出器ＰＤへの戻り光の光ディスクＤＩＳＣの複屈折依存について説明する。１／４波長板ＱＷＰに対して光が垂直に入射し、直線偏光の方向がＸ（ラジアル）方向に平行で、光ディスクＤＩＳＣに複屈折がないという理想的な場合を想定する。この場合、１／４波長板ＱＷＰを透過した光は円偏光となる。ここでは、仮に円偏光が右回りとする。光ディスクＤＩＳＣで反射された光は左回りの円偏光となって１／４波長板ＱＷＰに入射する。この１／４波長板ＱＷＰの出射光はＹ（タンジェンシャル）方向に平行な直線偏光となって、偏光ビームスプリッタＰＢＳを１００％近く透過し、光検出器ＰＤに入射する。以降、この状態を１として規格化して考察を進める。
【００５４】
次に、光ディスクＤＩＳＣの複屈折により位相がδラジアン進んだ状態を想定する。以下では、▲１▼０＜δ＜π／２の時、▲２▼δ＝π／２の時、▲３▼π／２＜δ＜πの時、▲４▼δ＝πの時の４通りの場合に分けて説明する。
【００５５】
▲１▼０＜δ＜π／２の時
光ディスクＤＩＳＣで反射された光は左回りの楕円偏光となって１／４波長板ＱＷＰに入射し、１／４波長板ＱＷＰ内部のある位置で直線偏光となる。その後、１／４波長板ＱＷＰの出射光は右回りで位相が入射光からπ／２進んだ楕円偏光となって出射される。偏光ビームスプリッタＰＢＳを透過する光の光量は、楕円のＹ方向の成分で現されるので、光検出器ＰＤの入射光の光量はｃｏｓ（δ／２）となる。
【００５６】
▲２▼δ＝π／２の時
光ディスクＤＩＳＣで反射された光はＹ方向に平行な直線偏光となって１／４波長板ＱＷＰに入射し、１／４波長板ＱＷＰから右回りの円偏光となって出射される。従って、光検出器ＰＤの入射光の光量は同様にｃｏｓ（π／４）≒０．７０７となる。
【００５７】
▲３▼π／２＜δ＜πの時
光ディスクＤＩＳＣで反射された光は右回りの楕円偏光となって１／４波長板ＱＷＰに入射し、１／４波長板ＱＷＰ内部のある位置で円偏光となる。その後、１／４波長板ＱＷＰの出射光は右回りで位相が入射光からπ／２進んだ楕円偏光となって出射される。従って、光検出器ＰＤの入射光の光量はｃｏｓ（δ／２）となる。
【００５８】
▲４▼δ＝πの時
光ディスクＤＩＳＣで反射された光は右回りの円偏光となって１／４波長板ＱＷＰに入射し、１／４波長板ＱＷＰからＸ方向に平行な直線偏光となって出射される。従って、光検出器ＰＤの入射光の光量は同様にｃｏｓ（π／２）＝０となる。
【００５９】
以上をまとめて表およびグラフ化したものを、それぞれ、図１１および図１２に図示する。図１１は光ディスクの複屈折量と、位相ズレおよび光検出器の入射光量との関係を示す表である。図１２は光検出器の入射光量と光ディスクの複屈折量との関係を示す図である。
【００６０】
Ｙ方向が長径となる楕円偏光は、光ディスクＤＩＳＣの複屈折により進む位相δが０からπの範囲にある場合を示している。この場合は、図１２に示したグラフの光ディスクＤＩＳＣの複屈折量が０ｎｍから３９２．５ｎｍの部分に相当する。
【００６１】
一方、Ｘ方向が長径となる楕円偏光は、光ディスクＤＩＳＣの複屈折により進む位相δがπ以上又はマイナスになった場合を示している。この場合は、図１２に示したグラフの光ディスクＤＩＳＣの複屈折量が３９２．５ｎｍから７８５ｎｍの部分に相当する。
【００６２】
本発明は上述した実施の形態に限定せず、本発明の要旨を逸脱しない範囲内で種々の変更・変形が可能なのは勿論である。例えば、上述した実施の形態では、光ピックアップが偏光光学系ピックアップである場合について説明しているが、それに限定されず、光ピックアップが無偏光光学系ピックアップであっても同様に適用できるのは勿論である。
【００６３】
【発明の効果】
以上の説明から明らかなように、本発明によれば、ピックアップされた信号（ＨＦ信号）を増幅して増幅された信号（ＨＦ信号）を出力する増幅手段と、増幅された信号（ＨＦ信号）のピークレベルが一定となるように、増幅手段の利得を制御する利得制御手段とを備えているので、実時間で増幅されたＨＦ信号の振幅を一定にすることができる。これにより、たとえ書き込み型の光ディスクが未記録の状態であっても、光ディスク読み取り装置を構成する増幅手段の利得を常にアクティブに制御することができる。
【図面の簡単な説明】
【図１】本発明の一実施の形態に係る光ディスク読み取り装置が適用される光ディスクドライブの、光ピックアップが内周に移動したときの状態を示す図で、（ａ）は平面図、（ｂ）は左側面図である。
【図２】図１に図示した光ディスクドライブの、光ピックアップが外周に移動したときの状態を示す図で、（ａ）は平面図、（ｂ）は左側面図である。
【図３】図１および図２に示した光ディスクドライブに使用される、偏光光学系光ピックアップの構成を示すブロック図である。
【図４】光ディスクへ照射されたレーザビームのスポットを示す図で、（ａ）は平面図、（ｂ）は概略断面図である。
【図５】図３に示す偏光光学系光ピックアップに用いられる、反射光（戻り光）を受光するための光検出器の構成を示す図で、（Ａ）は正面図、（Ｂ）は右側面図である。
【図６】本発明の第１の実施の形態に係る光ディスク読み取り装置の構成を示すブロック図である。
【図７】本発明の第２の実施の形態に係る光ディスク読み取り装置の構成を示すブロック図である。
【図８】従来の光ディスク読み取り装置の構成を示すブロック図である。
【図９】光検出器への戻り光の光量と光ディスクの複屈折量の依存関係を示す図である。
【図１０】光検出器への戻り光の光ディスクの複屈折依存を説明するための図である。
【図１１】光ディスクの複屈折量と、位相ズレおよび光検出器の入射光量との関係を示す表である。
【図１２】光検出器の入射光量と光ディスクの複屈折量との関係を示す図である。
【符号の説明】
４１    加算回路
４３    ピークホールド回路
４４    利得制御増幅器
４５    除算器
【図１】
2004220632.tif 000003
【図２】
2004220632.tif 000004
【図３】
2004220632.tif 000005
【図４】
2004220632.tif 000006
【図５】
2004220632.tif 000007
【図６】
2004220632.tif 000008
【図７】
2004220632.tif 000009
【図８】
2004220632.tif 000010
【図９】
2004220632.tif 000011
【図１０】
2004220632.tif 000012
【図１１】
2004220632.tif 000013
【図１２】
2004220632.tif 000014